(57)【特許請求の範囲】
【請求項１】
反射鏡と、この反射鏡をアジマス軸およびエレベーション軸の回りに回転させる回転機構とを備えた反射鏡アンテナ装置に於いて、
上記エレベーション軸は、上記反射鏡の上記アジマス軸方向のほぼ中央かつ上記反射鏡の上記エレベーション軸に直角な方向のほぼ中央の位置を通り、
上記反射鏡が、上記エレベーション軸の方向に長いほぼ矩形開口を持ち、
上記反射鏡が、給電された電磁波の実質的に全てを受けて反射するように鏡面修整され、
もって上記反射鏡がエレベーション軸回りに回転した際にもアンテナ高が高くならぬようにしたことを特徴とする反射鏡アンテナ装置。
【請求項２】
上記反射鏡は、放射器からの電磁波の照射を受ける副反射鏡と、上記副反射鏡から反射した電磁波を反射して目標に指向させる主反射鏡とを備えたことを特徴とする請求項１記載の反射鏡アンテナ装置。
【請求項３】
上記反射鏡において、反射鏡アンテナと同時に回転される給電装置の一部も含めてアンテナ高が高くならないようにしたことを特徴とする請求項１記載の反射鏡アンテナ装置
【請求項４】
上記反射鏡は、上記エレベーション軸を整列させて配列された複数の反射鏡素子を備えた反射鏡アレイであることを特徴とする請求項１記載の反射鏡アンテナ装置。
【請求項５】
上記主反射鏡の各反射鏡アンテナが、ほぼ矩形の開口形状を持ち、グレーティングローブを抑制するため、各々の反射鏡アンテナを鏡軸方向から見た際に、矩形開口でかつ開口での電磁界が一様分布に近い反射鏡アンテナとなるように鏡面修整を施したことを特徴とする請求項４記載の反射鏡アンテナ装置。
【請求項６】
放射器をアジマス回転面に平行となるように鏡面を設定し、上記放射器の中心軸心をエレベーション軸に整列させたことを特徴とする請求項１記載のアンテナ装置。
【請求項７】
鏡軸方向からみて上記副反射鏡がブロッキングにならないよう鏡面を設定したことを特徴とする請求項６記載のアンテナ装置。
【請求項８】
上記反射鏡アンテナが、カセグレンアンテナであることを特徴とする請求項１記載の反射鏡アンテナ装置。
【請求項９】
上記反射鏡アンテナが、グレゴリアンアンテナであることを特徴とする請求項１記載の反射鏡アンテナ装置。
【発明の詳細な説明】
技術分野
この発明は反射鏡アンテナ装置に関するものであり、特に互いに直角な２軸回りに回動して走査を行う反射鏡アンテナ装置に関するものである。
背景技術
アジマス軸とエレベーション軸等の互いに直角な２軸回りに回動して走査を行う反射鏡アンテナ装置の例として、例えば、Ｐｒｏｃｅｅｄｉｎｇｓ  ｏｆ  ＩＳＡＰ２０００，ｐｐ．４９７−５００，ＪＡＰＡＮ，Ｈ．Ｗａｋａｎａ  ｅｔ  ａｌに記載されたものがある。この反射鏡アンテナ装置は、反射鏡が、放射器からの電磁波の照射を受ける副反射鏡と、この副反射鏡から反射した電磁波を反射して目標に指向させる主反射鏡とを備えた通常の軸対称カセグレンアンテナであって、反射鏡アンテナ装置のアジマス軸方向の高さ寸法だけでなく、エレベーション軸方向の長さ寸法およびそれに直角方向の幅寸法が大きい。また、そのエレベーション回転中心軸は反射鏡を通らずに反射鏡から離れた位置を通っているために、反射鏡の方向（角度）を変えると必然的にその位置も変化することになり、アンテナ装置の反射鏡の作動領域を大きく採る必要があり、反射鏡アンテナ装置の設置に大きな空間が必要であった。
例えば航空機に搭載する等の、限られた比較的小さな空間内に反射鏡アンテナ装置を設置する要求がある場合、従来の反射鏡アンテナ装置は上述の反射鏡作動領域が大きいため、適用することができなかった。小型のアンテナ素子をアレイに固定配置して高さ寸法を小さくし、アンテナ素子の指向性を電気的に制御して走査させることも提案されているが、このようなアンテナ装置は電気的制御のための装置が極めて高価になってしまい、殆ど実用性が無いものである。
従って、この発明の課題は、小さな空間内に設置することができ、十分な実用性を備え、互いに直角な２軸回りに回動して走査を行う反射鏡アンテナ装置を提供することである。
発明の開示
この発明によれば上述の課題を解決するための手段は次の通りである。
（１）反射鏡と、この反射鏡をアジマス軸およびエレベーション軸の回りに回転させる回転機構とを備えた反射鏡アンテナ装置に於いて、上記エレベーション軸は、上記反射鏡の上記アジマス軸方向のほぼ中央かつ上記反射鏡の上記エレベーション軸に直角な方向のほぼ中央の位置を通り、上記反射鏡が、上記エレベーション軸の方向に長いほぼ矩形開口を持ちかつ上記反射鏡が、給電された電磁波の実質的に全てを受けて反射するように鏡面修整され、もって上記反射鏡がエレベーション軸回りに回転した際にもアンテナ高が高くならぬようにしたことを特徴とする反射鏡アンテナ装置である。
（２）上記反射鏡は、放射器からの電磁波の照射を受ける副反射鏡と、上記副反射鏡から反射した電磁波を反射して目標に指向させる主反射鏡とを備えたものとすることができる。
（３）上記反射鏡において、反射鏡アンテナと同時に回転される給電装置の一部も含めてアンテナ高が高くならないようにしたものとすることもできる。
（４）上記反射鏡は、上記エレベーション軸を整列させて配列された複数の反射鏡素子を備えた反射鏡アレイとしてもよい。
（５）上記主反射鏡の各反射鏡アンテナが、ほぼ矩形の開口形状を持ち、グレーティングローブを抑制するため、各々の反射鏡アンテナを鏡軸方向から見た際に、矩形開口でかつ開口での電磁界分布が一様分布に近い反射鏡アンテナとなるように鏡面修整を施したものである。
（６）放射器をアジマス回転面に平行となるように鏡面を設定し、上記放射器の中心軸心をエレベーション軸に整列させたものである。
（７）鏡軸方向からみて上記副反射鏡がブロッキングにならないよう鏡面を設定したものである。
（８）上記反射鏡アンテナが、カセグレンアンテナである。
（９）上記反射鏡アンテナが、グレゴリアンアンテナである。
【発明の実施の形態】
発明を実施するための最良の形態
実施の形態１．
本発明に係わる反射鏡アンテナ装置の実施形態１を図１および図２に示す。これらの図に於いて、反射鏡アンテナ装置は、反射鏡１と、この反射鏡１をアジマス軸２およびエレベーション軸３の回りに回転させる回転機構４とを備えている。反射鏡１は、電磁波を発射する放射器５からの電磁波の照射を受ける副反射鏡６と、副反射鏡６から反射した電磁波を反射して目標（図示してない）に指向させる主反射鏡７とを備えている。副反射鏡６は主反射鏡７に対して離間して軸整列した状態で支持機構８により支持されている。
反射鏡１は、回転支持機構９により、回転テーブル１０に対してエレベーション軸３回りに回転できるように支持されており、回転駆動源１１によって回転させられる。放射器５に接続された給電路１２がこのような反射鏡１の回転を妨げないように、エレベーション軸３上の位置で給電路１２に第１のロータリージョイント１３を挿入してある。
このように回転テーブル１０に対してエレベーション軸３回りに回転できるように支持された反射鏡１はまた、回転テーブル１０がアジマス軸２回りに回転できるように支持されているので、回転テーブル１０と共に回転駆動源１４によりアジマス軸２回りに回転できる。給電装置１５と放射器５との間を連結する給電路１２には、回転テーブル１０の回転中心即ち反射鏡１のアジマス軸２上の位置で、第２のロータリージョイント１６が設けられていて、この部分で回転テーブル１０とその上の反射鏡１のアジマス軸２回りの回転運動が許容されるようにしてある。
反射鏡１は、主反射鏡７と副反射鏡６とを備えているが、全体としてエレベーション軸３の方向に長さＤ（図１および図２参照）の寸法を持ち、エレベーション軸３に直角な方向に幅Ｗ（図２および図３参照）の寸法を持ったほぼ矩形開口を持つアンテナである。エレベーション軸３は、反射鏡１のアジマス軸２方向（高さ方向）の距離（高さ）Ｈのほぼ中央の位置を通り（図１および図３参照）、また反射鏡１のエレベーション軸３に直角な方向（幅方向）Ｗのほぼ中央の位置（図２および図３参照）を通る軸心である。
従って、反射鏡１がエレベーション軸３回りに回転させられたときに、反射鏡１が運動する範囲即ち作動領域Ｓは図３に示すようにエレベーション軸３を中心とする主反射鏡７の最外縁の描く円Ｙの内側となる。この円Ｙで表される作動領域Ｓは、例えば先に述べたＷａｋａｎａ論文記載のアンテナに比較すると極めて小さく、反射鏡がエレベーション軸回りに回転した際にもアンテナ高が高くならない。
反射鏡１の主反射鏡７と副反射鏡６とは、それぞれ鏡面修整されていて反射鏡１に給電された電磁波の実質的に全てを受けて反射するようにしてある。このような鏡面修整の具体的な手順はこの技術分野では周知であるのでここには詳細は説明しない。鏡面修整はアンテナの開口形状や、アンテナの開口分布を制御するための手法であり、例えば  ＩＥＥ  Ｐｒｏｃ．Ｍｉｃｒｏｗ．Ａｎｔｅｎｎａｓ  Ｐｒｏｐａｇ．Ｖｏｌ．１４６，Ｎｏ．１，ｐｐ．６０−６４，１９９９などに詳しく説明されている。ここでは、アンテナの開口形状をほぼ矩形状とする修整、及び開口分布を一様にする鏡面修整を施してある。
この反射鏡アンテナ装置に於いては、一次放射器５から放射された電波は副反射鏡６で反射し、さらにこの反射した電波が主反射鏡７で反射し図示してない目標に向けて電波が照射される２枚鏡カセグレンアンテナである。エレベーション方向には主反射鏡７、副反射鏡６、副反射鏡の支持機構８、一次放射器５および給電路１２の第１部分１２ａがエレベーション回転軸３を中心に回転することができる。給電路１２ａはロータリージョイント１３を介して、第２部分１２ｂに接続されており、アンテナがエレベーション軸３回りに回転しても一次放射器５に給電することができる。
またエレベーション軸３回りに回転する上述の構造物の他に、ロータリージョイント１３および給電路１２の第２部分１２ｂは回転テーブル１０上に固定されており、アジマス軸２回り（アジマス方向）に回転することができる。このアンテナはエレベーションとアジマスの２軸で自由に走査できるため任意の方向にアンテナのビームを向けることができる。図２はこの反射鏡アンテナ装置を上方から（鏡軸方向から）見た図である。
この反射鏡アンテナ装置はエレベーション方向に走査した際にもアンテナ高が高くならないように、アンテナ高Ｈだけでなくエレベーション軸３とアンテナの鏡軸（アジマス軸２）に垂直な方向の大きさ（幅）Ｗが小さくなるようにアンテナを設計したことを特徴とするもので、反射鏡アンテナ装置の設計手順の概略は以下の２ステップからなる。
先ず、アンテナを走査しない状態の高さが低くなるようにアンテナ高：Ｈ＝Ｄ／４となる軸対称カセグレンアンテナを設計する。この条件は副反射鏡６を完全な双曲面、主反射鏡７を完全な放物面とした際に主反射鏡７と副反射鏡６を含めたアンテナ高Ｈが、同一開口径で最も高さが低くなる条件である。
次に、エレベーション軸３回り（エレベーション方向）に走査した際のアンテナ高Ｈを低くするため、アジマス軸２とエレベーション軸３の双方に垂直な方向の主反射鏡７の大きさ（幅）Ｗが小さくなるように鏡面修整をおこなう。鏡面修整はアンテナの開口の形状や、アンテナの開口分布を制御するための手法であり、例えば先に挙げた、ＩＥＥ  Ｐｐｏｃ．Ｍｉｃｒｏｗ．Ａｎｔｅｎｎａｓ  Ｐｒｏｐａｇ．Ｖｏｌ．１４６，Ｎｏ．１，ｐｐ．６０−６４，１９９９などに説明されている。鏡面修整を行うことにより様々なアンテナ開口の形状や、開口分布を実現することができる。
上述した手法でアンテナを設計した際に実現されるアンテナをエレベーション軸３の方向から見た図を図３に示す。同図においてアンテナをエレベーション方向に回転しても、アンテナは回転軸３を中心とした一定の円Ｙ内を出ることはなく低いアンテナ高を実現することができる。また、このアンテナの開口径Ｄを調節しアンテナの利得やアジマス方向のビーム幅を調節することもできる。また、鏡面修整する際にアンテナの開口分布を制御しアンテナの利得やビーム幅などを調節することもできる。
このアンテナはエレベーション軸３回りに回転してもアンテナ高が低く、アンテナの設置個所に制約がある場合にも適用可能であるという効果がある。
実施の形態２．
この発明の反射鏡アンテナ装置の特徴を図４に示す。図１においては給電装置はアジマス回転のロータリージョイント下に配置されていたが、アンテナ構成により一部の給電回路１６ａやそのほかの部品１６ｂは、上記ロータリージョイントよりも上に配置され主反射鏡などと同時にアジマスおよびエレベーション方向に回転する必要がある。この際にこれらの部品の占有スペースを確保する必要がある。そこでこれらの占有スペースを予め考慮して主反射鏡を含む全アンテナ装置でエレベーション回転時にもアンテナの高さが高くならないようにしたアンテナ装置である。
このアンテナ装置は実際に必要な部品も含めてアンテナを構成した際にアンテナの高さを抑えることができるという効果がある。
実施の形態３．
この発明の反射鏡アンテナ装置の別の実施形態の側面図を図５に、上面図を図６に示す。同図において図１乃至図３に示す部品と同じあるいは対応する部品には同じ符号を付けて示し、それらの説明は省略してある。それらの一部を挙げれば、１は反射鏡、７は主反射鏡、６は副反射鏡、８は副反射鏡の支持機構、５は一次放射器、１２は給電路、２はアジマス軸、３はエレベーション回転軸、１３、１６はロータリージョイント、１０は回転テーブルである。
本実施例においてもアンテナはアジマス軸２回りと、エレベーション軸３回りの２軸で回転することができ、その機構は上述の実施形態の反射鏡アンテナ装置と同様である。この反射鏡アンテナ装置では一つの反射鏡（アンテナ）ではなく、２つのアンテナ素子１即ち２つのカセグレンアンテナを用いたアレーアンテナ構成としてある。アジマス軸２回りの回転は、各アンテナ素子１がそれぞれ回転するのではなく、回転テーブル１０に支持されたアンテナ素子１がアレー全体として回転するのである。
先の実施形態において述べたように、軸対称カセグレンアンテナにおいてアンテナを走査しない姿勢で最も低くなるアンテナは、アンテナ開口径の１／４である。従ってアンテナのエレベーション軸３方向に半分の大きさのアンテナは半分の高さになる。このアンテナをエレベーション軸３方向に２つ並べアレーアンテナ構成とすることにより、全体のアンテナにおいても先の実施形態のものよりもアンテナ高を半分にすることができる。
この実施形態では先の実施形態よりアンテナ高を低くすることができ、反射鏡アンテナ装置の寸法的設置環境がより厳しい場合にも適用することができるという効果がある。
また、この実施形態に於いては、通常は数波長離れた２素子のアレーアンテナを用いているために発生するグレーティングローブが抑制してある。このグレーティングローブを抑えるために、図７に示すような鏡面修整が施されている。同図において７ａは鏡面修整前の主反射鏡、６ａは鏡面修整前の副反射鏡、７ｂは鏡面修整後の主反射鏡、６ｂは鏡面修整後の副反射鏡である。まず鏡軸方向から見た開口をできるだけ矩形開口に近くなるように鏡面修整を行う。また実現する開口分布が一様分布になるように設定する。２つの一様な開口分布を有する矩形開口のアンテナは一つの大きな開口を有するアンテナと等価であり、原理的にグレーティングローブは発生しない。
この実施形態では適切な鏡面修整を実行することにより、２つの反射鏡を用いたアレーアンテナ構成としたことにより通常発生する望ましくないグレーティングローブを抑えることができ、アンテナ高さおよびサイドローブなどのアンテナのスペックが厳しい場合にも適用可能であるという効果がある。
実施の形態４．
この発明に係わる反射鏡アンテナ装置の側面図を図８、上面図を図９に示す。これらの図において１は反射鏡、７は主反射鏡、６は副反射鏡、８は副反射鏡の支持機構、５は一次放射器、１２は給電路、３はエレベーション回転軸、１３、１６はロータリージョイント、１０は回転テーブルである。
この実施形態においても、反射鏡１はアジマス軸とエレベーション軸の２軸回りに回転することができ、その機構は先の実施形態と同様である。この実施形態では先の実施形態と異なり２つのオフセットカセグレンアンテナを用いたアレーアンテナ構成としたものである。この実施形態においては副反射鏡によるブロッキングの影響を少なくすることができ、サイドローブレベルなどのアンテナの特性を改善することができ、寸法的制約だけでなくサイドローブなどのアンテナのスペックが厳しい場合にも適用可能であるという効果がある。
実施の形態５．
この発明の更に別の実施形態に係わる反射鏡アンテナ装置の側面図を図１０に示す。同図において図１乃至図３に示す部品と同じあるいは対応する部品には同じ符号を付けて示し、それらの説明は省略してある。それらの一部を挙げれば、１は反射鏡、７は主反射鏡、６は副反射鏡、８は副反射鏡の支持機構、５は一次放射器、１２は給電路、２はアジマス軸、３はエレベーション回転軸、１６はロータリージョイント、１０は回転テーブルである。
この実施形態は、一次放射器５の方向をアジマス回転面に平行となるように鏡面設計を行ったものである。この実施形態では、一次放射器５を主反射鏡７に対して回転させることができるので、エレベーション回転の際に一次放射器５を回転する必要がなくなるという効果がある。また、２つの一次放射器５を給電する給電路１２を折り曲げることなく、接続することができるためその構造を簡単にすることができるという効果がある。また機械駆動する際にも構造的な負担が少ないという効果がある。
実施の形態６．
この発明に係わる反射鏡アンテナ装置の側面図を図１１、上面図を図１２に示す。これらの図において図１乃至図３に示す部品と同じあるいは対応する部品には同じ符号を付けて示し、それらの説明は省略してある。それらの一部を挙げれば、１は反射鏡、７は主反射鏡、６は副反射鏡、８は副反射鏡の支持機構、５は一次放射器、１２は給電路、２はアジマス軸、３はエレベーション回転軸、１６はロータリージョイント、１０は回転テーブルである。
この実施形態の反射鏡アンテナ装置は基本的には先の実施形態のものと同様であるが、アジマス軸２（鏡軸）方向から見た際に副反射鏡６による陰がプロッキングにならないよう鏡面設計を行ったものである。この実施形態においては副反射鏡６によるブロッキングの影響をなくすことができ、サイドローブレベルなどのアンテナの特性を改善することができるという効果がある。
実施の形態７．
この発明に係わる反射鏡アンテナ装置の側面図を図１３、上面図を図１４に示す。これらの図において図１乃至図３に示す部品と同じあるいは対応する部品には同じ符号を付けて示し、それらの説明は省略してある。それらの一部を挙げれば、１は反射鏡、７は主反射鏡、６は副反射鏡、８は副反射鏡の支持機構、５は一次放射器、１２は給電路、２はアジマス軸、３はエレベーション回転軸、１３、１６はロータリージョイント、１０は回転テーブルである。
実施形態４、５および６では反射鏡１として２つのオフセットカセグレンアンテナを用いたアレーアンテナ構造としたが、３つ以上のオフセットカセグレンアンテナを用いたアレーアンテナとすることもできる。図１３および図１４は４つのオフセットカセグレンアンテナを用いたアレーアンテナ構成とした反射鏡１の例である。この実施形態では個々のオフセットカセグレンアンテナの開口径を小さくすることができるため、実現できる反射鏡アンテナ装置の反射鏡１のアンテナ高をより小さくすることができるという効果がある。
実施の形態８．
この発明の更に別の実施形態に係わる反射鏡アンテナ装置の側面図を図１５に示す。同図において図１乃至図３に示す部品と同じあるいは対応する部品には同じ符号を付けて示し、それらの説明は省略してある。それらの一部を挙げれば、１は反射鏡、７は主反射鏡、６は副反射鏡、８は副反射鏡の支持機構、５は一次放射器、１２は給電路、２はアジマス軸、３はエレベーション回転軸、１３、１６はロータリージョイント、１０は回転テーブルである。
先の実施形態２乃至７では１つ、あるいは複数のカセグレンアンテナを反射鏡１として用いたアンテナ構造としていたが、この実施形態では全体として同様の構造のアンテナ構造にグレゴリアンアンテナを適用した反射鏡アンテナ装置である。先の実施形態４の反射鏡アンテナ装置にグレゴリアンアンテナを適用した反射鏡アンテナ装置を図１５に示す。
この実施形態ではアンテナの構成が異なるため、設計によってアンテナ高を低くできるという効果がある。
以上の如く本発明の反射鏡アンテナ装置による効果は次の通りである。
（１）反射鏡と、この反射鏡をアジマス軸およびエレベーション軸の回りに回転させる回転機構とを備えた反射鏡アンテナ装置に於いて、上記エレベーション軸は、上記反射鏡の上記アジマス軸方向のほぼ中央かつ上記反射鏡の上記エレベーション軸に直角な方向のほぼ中央の位置を通り、上記反射鏡が、上記エレベーション軸の方向に長いほぼ矩形開口を持ちかつ上記反射鏡が、給電された電磁波の実質的に全てを受けるように鏡面修整され、もって上記反射鏡がエレベーション軸回りに回転した際にもアンテナ高が高くならぬようにしたものである。従って、小さな空間内に設置することができ、十分な実用性を備え、互いに直角な２軸回りに回動して走査を行う反射鏡アンテナ装置を提供することができる。
（２）上記反射鏡は、放射器からの電磁波の照射を受ける副反射鏡と、上記副反射鏡から反射した電磁波を反射して目標に指向させる主反射鏡とを備えたものとすることができるので、小さな空間内に設置することができるだけでなく、十分な実用性を備え、互いに直角な２軸回りに回動して走査を行う効率のよい反射鏡アンテナ装置とできる。
（３）上記反射鏡において、反射鏡アンテナと同時に回転される給電装置の一部も含めてアンテナ高が高くならないようにしたので、アンテナ装置は実際に必要な部品も含めてアンテナを構成した際にアンテナの高さを抑えることができるという効果がある。
（４）上記反射鏡は、上記エレベーション軸を整列させて配列された複数の反射鏡素子を備えた反射鏡アレイとしてもよいので、アンテナ高さを更に小さくすることができ、小さな空間内に設置することができ、十分な実用性を備え、互いに直角な２軸回りに回動して走査を行う反射鏡アンテナ装置を提供することができる。
（５）上記主反射鏡の各反射鏡アンテナが、ほぼ矩形の開口形状を持ち、グレーティングローブを抑制するため、各々の反射鏡アンテナを鏡軸方向から見た際に、矩形開口でかつ開口の電磁界分布が一様分布に近い反射鏡アンテナとなるように鏡面修整を施したものである。従って、アンテナ高さを更に小さくし、小さな空間内に設置することができ、十分な実用性を備え、より高効率の、互いに直角な２軸回りに回動して走査を行う反射鏡アンテナ装置を提供することができる。
（６）放射器をアジマス回転面に平行となるように鏡面を設定し、上記放射器の中心軸心をエレベーション軸に整列させたものである。従って、小さな空間内に設置することができ、十分な実用性を備え、しかも構成の簡単な反射鏡アンテナ装置を提供することができる。
（７）鏡軸方向からみて上記副反射鏡がブロッキングにならないよう鏡面を設定したものである。従って、小さな空間内に設置することができ、十分な実用性を備え、しかもブロッキングが起こらない反射鏡アンテナ装置を提供することができる。
（８）上記反射鏡アンテナが、カセグレンアンテナであるので、小さな空間内に設置することができ、十分な実用性を備えた高効率の反射鏡アンテナ装置を提供することができる。
（９）上記反射鏡アンテナが、グレゴリアンアンテナであるので、小さな空間内に設置することができ、十分な実用性を備えた高効率の反射鏡アンテナ装置を提供することができる。
産業上の利用可能性
以上のように、本発明にかかる反射鏡アンテナ装置は、特に互いに直角な２軸回りに回動して走査を行う反射鏡アンテナ装置として有用なものである。
【図面の簡単な説明】
図１は本発明の一実施形態の反射鏡アンテナ装置を示す概略側面図である。
図２は図１の反射鏡アンテナ装置を示す概略上面図である。
図３は図１の反射鏡アンテナ装置を示す概略正面図である。
図４は本発明の別の実施形態のアレー型の反射鏡アンテナ装置を示す概略正面図である。
図５は本発明の第３の実施形態のアレー型の反射鏡アンテナ装置を示す概略側面図である。
図６は図５の反射鏡アンテナ装置を示す概略上面図である。
図７は図５の反射鏡アンテナ装置の反射鏡アンテナを示す概略拡大正面図である。
図８は本発明の第４の実施形態の実施形態のアレー型の反射鏡アンテナ装置を示す概略側面図である。
図９は図８の反射鏡アンテナ装置を示す概略上面図である。
図１０は本発明の第５の実施形態の反射鏡アンテナ装置の反射鏡アンテナを示す概略側面図である。
図１１は本発明の第６の実施形態のアレー型の反射鏡アンテナ装置を示す概略側面図である。
図１２は図１１の反射鏡アンテナ装置を示す概略上面図である。
図１３は本発明の第７の実施形態のアレー型の反射鏡アンテナ装置を示す概略側面図である。
図１４は図１３の反射鏡アンテナ装置を示す概略上面図である。
図１５は本発明の第８の実施形態の反射鏡アンテナ装置を示す概略側面図である。
【図１】
0003788784.tif 000002
【図２】
0003788784.tif 000003
【図３】
0003788784.tif 000004
【図４】
0003788784.tif 000005
【図５】
0003788784.tif 000006
【図６】
0003788784.tif 000007
【図７】
0003788784.tif 000008
【図８】
0003788784.tif 000009
【図９】
0003788784.tif 000010
【図１０】
0003788784.tif 000011
【図１１】
0003788784.tif 000012
【図１２】
0003788784.tif 000013
【図１３】
0003788784.tif 000014
【図１４】
0003788784.tif 000015
【図１５】
0003788784.tif 000016